(57)【要約】      （修正有）【課題】第１操作子の少なくとも一部が第２操作子の一部によって覆われるように表示される場合に、第２操作子の操作を制限することなく、第１操作子に対する誤操作を減少させる制御装置及びプログラムを提供する。【解決手段】表示手段１１０は、操作子が配置された画面を表示装置に表示させる。受付手段１２０は、操作子に対する操作を受け付ける。制御手段１３０は、第１操作子の少なくとも一部が第２操作子の一部によって覆われるように表示される場合に、予め定められた期間内は、第１操作子と第２操作子とが重なる領域の少なくとも一部である第１領域に対する操作を受け付けないように受付手段１２０を制御する。【選択図】図３
2018180848.tif 000002
【特許請求の範囲】
【請求項１】
操作子が配置された画面を表示装置に表示させる表示手段と、
前記操作子に対する操作を受け付ける受付手段と、
第１操作子の少なくとも一部が第２操作子の一部によって覆われるように表示される場合に、予め定められた期間内は、前記第１操作子と前記第２操作子とが重なる領域の少なくとも一部である第１領域に対する操作を受け付けないように前記受付手段を制御する制御手段と
を備える制御装置。
【請求項２】
前記制御手段は、前記第２操作子における前記第１操作子と重ならない領域の一部である第２領域を含む前記第１領域に対する操作を受け付けないように前記受付手段を制御する
請求項１に記載の制御装置。
【請求項３】
前記制御手段は、前記受付手段によって操作が受け付けられた前記画面上の位置の履歴に基づいて前記第１領域を設定する
請求項１又は２に記載の制御装置。
【請求項４】
前記制御手段は、前記履歴に含まれる複数の前記位置に基づいて前記第１領域を設定する
請求項３に記載の制御装置。
【請求項５】
前記制御手段は、前記第２操作子における前記第１操作子と重ならない領域で操作を受け付けた後に当該操作を取り消す指示を受け付けた場合に、当該操作を受け付けた位置を含むように前記第２領域を設定する
請求項２に記載の制御装置。
【請求項６】
前記制御手段は、前記画面に物体が接触した面積に応じた大きさ、又は、ポインティングデバイスの種類に応じた大きさの前記第１領域を設定する
請求項３乃至５のいずれか１項に記載の制御装置。
【請求項７】
前記受付手段は、前記第１領域を設定する操作を受け付ける
請求項１又は２に記載の制御装置。
【請求項８】
前記制御手段は、前記予め定められた期間の開始時期として、前記第２操作子の表示の開始時期を設定する
請求項１乃至７のいずれか１項に記載の制御装置。
【請求項９】
前記制御手段は、前記予め定められた期間の終了時期として、表示された第３操作子に対する操作又はハードウェアキーに対する操作が受け付けられた時期を設定する
請求項１乃至８のいずれか１項に記載の制御装置。
【請求項１０】
前記制御手段は、操作に対応する処理が定義されない操作子を表示させることにより前記第１領域を設定する
請求項１乃至９のいずれか１項に記載の制御装置。
【請求項１１】
前記制御手段は、操作に対応する処理が定義されない前記操作子の表示を終了させることにより前記第１領域の設定を解除する
請求項１０に記載の制御装置。
【請求項１２】
コンピュータを、
操作子が配置された画面を表示装置に表示させる表示手段と、
前記操作子に対する操作を受け付ける受付手段と、
第１操作子の少なくとも一部が第２操作子の一部によって覆われるように表示される場合に、予め定められた期間内は、前記第１操作子と前記第２操作子とが重なる領域の少なくとも一部である第１領域に対する操作を受け付けないように前記受付手段を制御する制御手段
として機能させるためのプログラム。
【発明の詳細な説明】
【技術分野】
【０００１】
本発明は、制御装置及びプログラムに関する。
【背景技術】
【０００２】
表示装置に表示された仮想的な操作子に対する操作を受け付けるＧＵＩ（Graphical User Interface）が知られている。操作子に対する操作は、タッチパネルやマウスなどのポインティングデバイスを用いて行われる。ここで、２つの操作子に重なりが生じる場合を想定する。具体的には、第１操作子を含む画面に第２操作子が重なるように表示される場合や、第１操作子を含む画面から第２操作子を含む画面へ遷移する場合などが想定される。
【０００３】
ここで、２つの操作子に重なりが生じる場合にユーザの意図しない操作が実行されてしまうことを抑制する技術が特許文献１で提案されている。特許文献１に記載された表示制御装置は、第１の表示アイテム（第１操作子）に重畳して第２の表示アイテム（第２操作子）を表示部に表示させる表示制御手段と、表示部に表示されている表示アイテムを選択する選択手段と、第２の表示アイテムの表示が開始されてから所定時間内は、第２の表示アイテムの選択操作を受け付けないように制御する制御手段と、を有する。
【先行技術文献】
【特許文献】
【０００４】
【特許文献１】特開２０１５−１３２８８８号公報
【発明の概要】
【発明が解決しようとする課題】
【０００５】
第１操作子の少なくとも一部が第２操作子の一部によって覆われるように表示される場合を想定すると、第２操作子には第１操作子と重ならない領域が存在する。ユーザが第２操作子を操作する意思を持っている場合、誤って第１操作子を操作してしまうという事態を避けるには、例えば、第２操作子における第１操作子と重ならない領域を操作するということが考えられる。
【０００６】
そこで、本発明は、第１操作子の少なくとも一部が第２操作子の一部によって覆われるように表示される場合に、第２操作子に対する操作を許容するとともに、第１操作子に対する誤操作を減少させることを目的とする。
【課題を解決するための手段】
【０００７】
請求項１に係る発明は、操作子が配置された画面を表示装置に表示させる表示手段と、前記操作子に対する操作を受け付ける受付手段と、第１操作子の少なくとも一部が第２操作子の一部によって覆われるように表示される場合に、予め定められた期間内は、前記第１操作子と前記第２操作子とが重なる領域の少なくとも一部である第１領域に対する操作を受け付けないように前記受付手段を制御する制御手段とを備える制御装置を提供する。
【０００８】
請求項２に係る発明は、請求項１に記載の制御装置において、前記制御手段は、前記第２操作子における前記第１操作子と重ならない領域の一部である第２領域を含む前記第１領域に対する操作を受け付けないように前記受付手段を制御する。
【０００９】
請求項３に係る発明は、請求項１又は２に記載の制御装置において、前記制御手段は、前記受付手段によって操作が受け付けられた前記画面上の位置の履歴に基づいて前記第１領域を設定する。
【００１０】
請求項４に係る発明は、請求項３に記載の制御装置において、前記制御手段は、前記履歴に含まれる複数の前記位置に基づいて前記第１領域を設定する。
【００１１】
請求項５に係る発明は、請求項２に記載の制御装置において、前記制御手段は、前記第２操作子における前記第１操作子と重ならない領域で操作を受け付けた後に当該操作を取り消す指示を受け付けた場合に、当該操作を受け付けた位置を含むように前記第２領域を設定する。
【００１２】
請求項６に係る発明は、請求項３乃至５のいずれか１項に記載の制御装置において、前記制御手段は、前記画面に物体が接触した面積に応じた大きさ、又は、ポインティングデバイスの種類に応じた大きさの前記第１領域を設定する。
【００１３】
請求項７に係る発明は、請求項１又は２に記載の制御装置において、前記受付手段は、前記第１領域を設定する操作を受け付ける。
【００１４】
請求項８に係る発明は、請求項１乃至７のいずれか１項に記載の制御装置において、前記制御手段は、前記予め定められた期間の開始時期として、前記第２操作子の表示の開始時期を設定する。
【００１５】
請求項９に係る発明は、請求項１乃至８のいずれか１項に記載の制御装置において、前記制御手段は、前記予め定められた期間の終了時期として、表示された第３操作子に対する操作又はハードウェアキーに対する操作が受け付けられた時期を設定する。
【００１６】
請求項１０に係る発明は、請求項１乃至９のいずれか１項に記載の制御装置において、前記制御手段は、操作に対応する処理が定義されない操作子を表示させることにより前記第１領域を設定する。
【００１７】
請求項１１に係る発明は、請求項１０に記載の制御装置において、前記制御手段は、操作に対応する処理が定義されない前記操作子の表示を終了させることにより前記第１領域の設定を解除する。
【００１８】
請求項１２に係る発明は、コンピュータを、操作子が配置された画面を表示装置に表示させる表示手段と、前記操作子に対する操作を受け付ける受付手段と、第１操作子の少なくとも一部が第２操作子の一部によって覆われるように表示される場合に、予め定められた期間内は、前記第１操作子と前記第２操作子とが重なる領域の少なくとも一部である第１領域に対する操作を受け付けないように前記受付手段を制御する制御手段として機能させるためのプログラムを提供する。
【発明の効果】
【００１９】
請求項１、１２に係る発明によれば、第１操作子の少なくとも一部が第２操作子の一部によって覆われるように表示される場合に、第２操作子に対する操作を許容するとともに、第１操作子に対する誤操作を減少させることができる。
請求項２に係る発明によれば、第２領域に対する操作を受け付けない構成を備えない場合と比べて、誤操作を減少させることができる。
請求項３に係る発明によれば、第１領域の設定に操作の履歴を反映させることができる。
請求項４に係る発明によれば、履歴に含まれる１つの位置に基づくよりも誤操作を減少させることができる。
請求項５に係る発明によれば、第１領域の設定にユーザの判断を反映させることができる。
請求項６に係る発明によれば、誤操作の危険性の高さに応じた大きさの第１領域を設定することができる。
請求項７に係る発明によれば、第１領域の設定にユーザの判断を反映させることができる。
請求項８に係る発明によれば、第２操作子の表示が開始されるとともに、誤操作を減少させるための処理を開始することができる。
請求項９に係る発明によれば、操作の効率を向上させることができる。
請求項１０、１１に係る発明によれば、第２操作子に変更を加えずに、誤操作を減少させる処理を行うことができる。
【図面の簡単な説明】
【００２０】
【図１】制御装置１のハードウェア構成を示す図。
【図２】制御装置１による制御の対象とするＧＵＩの例。
【図３】制御装置１の機能構成を示す図。
【図４】表示制御処理の流れ図。
【図５】操作子の表示例。
【図６】操作が受け付けられた位置の例。
【発明を実施するための形態】
【００２１】
［実施形態］
本発明を実施するための形態の一例について説明する。本発明は、電子機器を操作するためのＧＵＩ（Graphic User Interface）の制御に関する技術である。本発明はいかなる電子機器に適用されてもよいが、例えば複写機などの画像形成装置に本発明が適用されてもよい。本発明に係る制御装置は、電子機器に備えられてもよく、電子機器に指示を送る情報処理装置に備えられてもよい。また、ＧＵＩは、タッチパネルを備えた表示装置に表示されてもよく、キーボードとマウスによって操作される情報処理装置に備えられた表示装置に表示されてもよい。
【００２２】
図１は、制御装置１のハードウェア構成を示す図である。制御装置１は、制御部１１、記憶部１２、通信部１３、表示部１４、操作部１５を備える。記憶部１２は、例えばハードディスクドライブやメモリなどの記憶装置であり、プログラムやデータを記憶する。制御部１１は、プロセッサと、演算のワークエリアとして用いられるメモリを備え、記憶部１２に記憶されたプログラムに従う処理を実行する。通信部１３は、制御装置１と外部の装置との通信インターフェイスであり、例えば、ＬＡＮ（Local Area Network）のインターフェイスやモデムなどを備える。
【００２３】
表示部１４は、液晶表示パネルなどの表示装置を備え、電子機器を操作するためのウィジェットが配置されたＧＵＩの画面を表示する。操作部１５は、ポインティングデバイスを備え、ＧＵＩに対する操作を受け付ける。ポインティングデバイスは、例えば、表示部１４の表示面を覆うタッチパネル、マウス、タッチパッドなどである。表示部１４と操作部１５は、制御装置１と分離された装置として構成されてもよい。
【００２４】
図２は、制御装置１による制御の対象とするＧＵＩの例である。ここでは、複写機を操作するためのＧＵＩにおいて、実行中の複写を中断する操作と、中断された複写を再開する操作の例を示す。図２（ａ）は、複写を実行中のときに表示される画面である。この画面において中断ボタン（第１操作子の一例）が操作されると、複写が中断される。図２（ｂ）は、複写が中断された時に表示される画面の例である。この例は、中断ボタンの全部が再開ボタン（第２操作子の一例）の一部によって覆われる例である。再開ボタンが操作されると複写が再開されるとともに（ａ）の画面に遷移する。なお、中断ボタンの輪郭が破線で図示されているが、実際の画面においては、中断ボタンが透けて見えるように表示されてもよく、再開ボタンだけが見えるように表示されてもよい。ただし、中断ボタンが透けて見える場合であっても、中断ボタンの操作は不能である。なお、用紙切れ、トナー切れ、紙詰まりなどの原因により複写機が複写を中断する場合がある。このような場合には、中断ボタンが操作されなくても再開ボタンが表示される。要するに、第１の操作子への操作によって第２の操作子が表示される場合と、第１の操作子への操作に関係なく第２の操作子が表示される場合がある。
【００２５】
図２（ｃ）は、複写が中断された時に表示される画面の別の例である。この例は、中断ボタンの一部が再開ボタンの一部によって覆われる例である。なお、中断ボタンに再開ボタンが重なる領域では中断ボタンの輪郭が破線で図示されているが、実際の画面においては、中断ボタンが透けて見えるように表示されてもよく、再開ボタンだけが見えるように表示されてもよい。ただし、中断ボタンが透けて見える場合であっても、中断ボタンの操作は不能である。また、再開ボタンが重ならない領域においても、中断ボタンの操作は不能である。
【００２６】
図２（ｄ）は、複写が中断された時に表示される画面の別の例である。この例では、図２（ｃ）の例と同じ位置に再開ボタンが表示されるが、中断ボタンは表示されない。
【００２７】
図２（ｂ）、（ｃ）、（ｄ）に示す例は、いずれも、中断ボタンの少なくとも一部が再開ボタンの一部によって覆われるように表示される例である。これらの画面においては、以下のような誤操作が発生するおそれがある。例えば、ユーザが再開ボタンを操作したが、その操作に対する装置の応答がユーザの予想よりも遅かったため、再び再開ボタンを操作しようとしたところ、最初の再開ボタンの操作に対する応答として再開ボタンが消去されて中断ボタンが表示され、誤って中断ボタンを操作してしまうことが考えられる。あるいは、ユーザが慌てて再開ボタンの位置を連打した結果、最初の再開ボタンの操作によって再開ボタンが消去されて中断ボタンが表示され、誤って中断ボタンを操作してしまうことが考えられる。あるいは、用紙切れなどの原因により複写が中断され、ユーザが用紙を補充した後、再開ボタンを操作しようとしたところ、用紙の補充によって自動的に複写が再開されて中断ボタンが表示され、誤って中断ボタンを操作してしまうことが考えられる。要するに、第１操作子の少なくとも一部が第２操作子の一部によって覆われるように表示される場合、ユーザが第１操作子を操作する意思がないにもかかわらず、第１操作子を誤操作してしまうということが考えられる。一方で、ユーザが第１操作子を操作する意思を持っている場合に、誤って第２操作子を操作してしまう場合がある。例えば、中断ボタンが表示されており、ユーザが中断ボタンを操作したものの、何らかの事情により、この中断ボタンに対する応答がない場合がある。このような場合に、ユーザが中断ボタンを連打等していると、突然中断ボタンに覆い重なるように再開ボタンが表示され、再開ボタンを誤って操作してしまうことが考えられる。
【００２８】
制御装置１には、表示制御処理の手順を記述したプログラムがインストールされており、制御部１１がこのプログラムを実行することにより以下の各機能が実現され、表示制御処理が実行される。
【００２９】
図３は、制御装置１の機能構成を示す図である。表示手段１１０は、操作子が配置された画面を表示装置に表示させる。受付手段１２０は、操作子に対する操作を受け付ける。制御手段１３０は、第１操作子の少なくとも一部が第２操作子の一部によって覆われるように表示される場合に、予め定められた期間内は、第１操作子と第２操作子とが重なる領域の少なくとも一部である第１領域に対する操作を受け付けないように受付手段１２０を制御する。
【００３０】
図４は、表示制御処理の流れ図である。制御部１１は、予め定められた条件が満たされた場合に表示制御処理を開始する。具体的には、電子機器が予め定められた処理を開始する場合（例えば、複写機が複写を開始する場合）や、電子機器の状態が予め定められた一の状態から他の状態へ変化した場合（例えば、中断された複写が再開された場合）などに実行される。
【００３１】
最初に、制御部１１は、第１操作子を表示させる（ステップＳ０１）。具体的には、制御部１１は、電子機器が実行する処理の内容に対応した操作子を表示させる。例えば、制御部１１は、複写の開始又は再開とともに中断ボタン（第１操作子の一例）を表示させる。
【００３２】
次に、制御部１１は、第２操作子の表示要求の有無を判定し、表示要求がなかったならば（ステップＳ０２：ＮＯ）、同様の判定を繰り返し、表示要求があったならば（ステップＳ０２：ＹＥＳ）、第２操作子を表示させる（ステップＳ０３）。例えば、中断ボタン（第１操作子の一例）が操作されたならば、制御部１１は、再開ボタン（第２操作子の一例）の表示要求があったと判定する。
【００３３】
図５は、操作子の表示例である。図５（ａ）は、第１操作子Ｂ１と第２操作子Ｂ２の位置関係を示す図である。この例は、図２（ｃ）の例と同様に、第１操作子Ｂ１の一部が第２操作子Ｂ２の一部によって覆われる例である。なお、以下に示す処理は、図２（ｂ）の例のように第１操作子Ｂ１の全部が第２操作子Ｂ２の一部によって覆われる場合や、図２（ｄ）の例のように第１操作子Ｂ１の一部が第２操作子Ｂ２の一部によって覆われるように第２操作子Ｂ２が表示されるが、第１操作子Ｂ１は表示されなくなる場合についても、同様に実行される。
【００３４】
次に、制御部１１は、第１領域Ａ１に未定義の操作子ＢＮを表示させる（ステップＳ０４）。第１領域Ａ１とは、第１操作子Ｂ１と第２操作子Ｂ２が重なる領域の少なくとも一部であり、操作が受け付けられない領域である。本実施形態では、第１領域Ａ１は、予め定められている。未定義の操作子ＢＮとは、操作に対応する処理が定義されない操作子であり、操作子ＢＮに対してユーザが操作を行っても、制御部１１はいかなる処理も実行しない。未定義の操作子ＢＮが表示されることにより、画面に第１領域Ａ１が設定される。一方、第２操作子Ｂ２における第１領域Ａ１に含まれない領域においては、第２操作子Ｂ２に対する操作が行われた場合に、制御部１１は、第２操作子Ｂ２に対応する処理を実行する。なお、未定義の操作子ＢＮに第１操作子Ｂ１及び第２操作子Ｂ２と異なる外観が与えられてもよく、第１操作子と第２操作子が重なる領域の輪郭を表す線が表示されてもよく、未定義の操作子ＢＮが無色透明な操作子として表示されてもよい。
【００３５】
図５（ｂ）は、第１領域Ａ１の設定例である。この例は、第１操作子Ｂ１と第２操作子Ｂ２とが重なる領域の全部が第１領域Ａ１に設定された例である。図５（ｃ）は、第１領域Ａ１の別の設定例である。この例は、第１操作子Ｂ１と第２操作子Ｂ２とが重なる領域の一部が第１領域Ａ１に設定された例である。
【００３６】
次に、制御部１１は、予め定められた期間が経過したか否かを判定し、当該期間が経過していないならば（ステップＳ０５：ＮＯ）、同様の判定を繰り返し、当該期間が経過したならば（ステップＳ０５：ＹＥＳ）、未定義の操作子の表示を終了させる（ステップＳ０６）。予め定められた期間とは、例えば、第２操作子Ｂ２の表示の開始時期から予め定められた長さの期間である。未定義の操作子の表示が終了すると、第１領域Ａ１の設定が解除され、第１領域Ａ１における第２操作子Ｂ２に対する操作が行われた場合に、制御部１１は、第２操作子Ｂ２に対応する処理を実行する。
【００３７】
この構成によれば、予め定められた期間内において、第１操作子Ｂ１と第２操作子Ｂ２とが重なる領域の少なくとも一部に対する操作が受け付けられないから、第１操作子Ｂ１に対する誤操作が減少する。また、当該期間内において、第２操作子Ｂ２における第１領域Ａ１に含まれない領域においては、第２操作子Ｂ２に対する操作が受け付けられる。
【００３８】
ユーザは誤操作を警戒して操作子の縁部の操作を避ける傾向があると考えられるから、第２操作子Ｂ２の縁部は第１領域Ａ１に含めなくてもよい（図５（ｃ）参照）。ただし、第２操作子Ｂ２の縁部が操作されることがないとは言えないから、第２操作子Ｂ２の縁部を第１領域Ａ１に含めてもよい（図５（ｂ）参照）。
【００３９】
［変形例］
上記の実施形態が以下のように変形されてもよい。
【００４０】
［変形例１］
制御手段１３０が、第２操作子Ｂ２における第１操作子Ｂ１と重ならない領域の一部である第２領域Ａ２を含む第１領域Ａ１に対する操作を受け付けないように受付手段１２０を制御してもよい。
【００４１】
図５（ｄ）は、第２領域Ａ２の設定例である。第２領域Ａ２は、第２操作子Ｂ２における第１操作子Ｂ１と重ならない領域の一部である。つまり、第１領域Ａ１は、第１操作子Ｂ１と第２操作子Ｂ２とが重なる領域の少なくとも一部（上記実施形態で示した第１領域Ａ１）と、第２操作子Ｂ２における第１操作子Ｂ１と重ならない領域の一部（第２領域Ａ２）とを含む。この構成によれば、上記実施形態と比べて第１操作子Ｂ１から離れた位置でユーザが第２操作子Ｂ２を操作するように仕向けられるから、上記実施形態と比べて第１操作子Ｂ１に対する誤操作が減少する。
【００４２】
［変形例２］
制御手段１３０が、受付手段１２０によって操作が受け付けられた画面上の位置の履歴に基づいて、第１領域Ａ１を設定してもよい。
【００４３】
図６は、操作が受け付けられた位置の例である。ポインティングデバイスとしてタッチパネルが備えられている場合の指が接触した楕円形の領域Ｃが示されている。第１領域Ａ１は、履歴に含まれる１つの位置に基づいて設定されてもよい。１つの位置とは、例えば最新の位置でもよい。例えば、図６（ａ）に示す位置に基づいて設定すると、図５（ｂ）に示すように第１領域Ａ１が設定される。
【００４４】
［変形例３］
第１領域Ａ１は、履歴に含まれる複数の位置に基づいて設定されてもよい。例えば、図６（ｂ）に示す複数の位置に基づいて設定すると、図５（ｂ）に示すように第１領域Ａ１が設定される。履歴に含まれる複数の位置とは、或る期間内に操作された複数の位置でもよく、履歴から無作為に抽出した複数の位置でもよい。また、履歴に含まれる複数の位置を統計的に処理した値（最頻値、中央値など）に基づいて第１領域Ａ１が設定されてもよい。例えば、図６（ｃ）の例では、第１操作子Ｂ１と第２操作子Ｂ２とが重なる領域の中央よりも右側に操作が多く発生しているため、例えば最頻値に基づいて第１領域Ａ１を設定すると、図５（ｃ）のように設定される。
【００４５】
［変形例４］
制御手段１３０が、第２操作子における第１操作子と重ならない領域で操作を受け付けた後に当該操作を取り消す指示を受け付けた場合に、当該操作を受け付けた位置を含むように第２領域を設定してもよい。例えば、第２操作子における第１操作子と重ならない領域で操作を行ったものの、第１操作子を誤操作する危険性を察知したユーザがその操作を取り消し、より第１操作子から遠くの位置で操作をし直すということが想定される。なお、この変形例には、第２領域が未設定の画面に対して新規に第２領域を設定する場合と、既に設定されている第２領域を拡張する場合の両方が含まれる。
【００４６】
［変形例５］
制御手段１３０は、画面に物体が接触した面積に応じた大きさ、又は、ポインティングデバイスの種類に応じた大きさの第１領域を設定してもよい。例えば、ポインティングデバイスとしてタッチパネルが用いられる場合、指で操作する場合とスタイラスで操作する場合とを比較すると、画面に接触する面積は指の方が大きいから、指で操作する方が誤操作の危険性が高いと考えられる。従って、タッチパネルに物体が接触した面積が大きいほど第１領域の面積を大きく設定してもよい。第１領域の面積の設定にあたっては、例えば、操作のたびにタッチパネルへの接触面積を記憶し、操作の回数が決められた回数に達したならば、それまでの操作における接触面積の統計値（平均値、最大値、中央値など）を求め、その統計値を用いて第１領域を設定してもよい。また、ポインティングデバイスとしてタッチパネルが用いられる場合とマウスが用いられる場合とを比較すると、タッチパネルに指やスタイラスが接触する面積はマウスのカーソル（ポインタ）が指し示す点の面積よりも大きいから、タッチパネルを用いる方が誤操作の危険性が高いと考えられる。従って、ポインティングデバイスとしてタッチパネルが用いられる場合にはマウスが用いられる場合よりも第１領域の面積を大きく設定してもよい。
【００４７】
［変形例６］
受付手段１２０が、第１領域を設定する操作を受け付けてもよい。例えば、ユーザが実際に誤操作を経験した領域や、ユーザが誤操作の危険性があると考える領域を第１領域に設定することが想定される。
【００４８】
［変形例７］
制御手段１３０が、予め定められた期間の終了時期として、表示された第３操作子に対する操作又はハードウェアキーに対する操作が受け付けられた時期を設定してもよい。この変形例は、第１領域に対する操作を受け付けない期間をユーザの操作により終了させる構成である。誤操作をしない自信があるユーザにとっては、第１領域に対する操作を受け付けない状態は作業の効率を低下させてしまうことになる。この変形例によれば、作業効率の低下が抑制される。
【００４９】
［変形例８］
コンピュータに上記の処理を実行させるためのプログラムは、例えば、光記録媒体、半導体メモリなどのコンピュータに読取り可能な記録媒体に持続的に記憶された状態で提供されてもよいし、インターネット等の通信ネットワークを介して提供されてもよい。本発明に係るプログラムが記録媒体に持続的に記憶された状態で提供される場合、コンピュータが当該プログラムを記録媒体から読み取り用いる。また、本発明に係るプログラムが通信ネットワークを介して提供される場合、コンピュータが当該プログラムを配信元の装置から受信して用いる。
【符号の説明】
【００５０】
１…制御装置、１１…制御部、１２…記憶部、１３…通信部、１４…表示部、１５…操作部、１１０…表示手段、１２０…受付手段、１３０…制御手段
【図１】
2018180848.tif 000003
【図２】
2018180848.tif 000004
【図３】
2018180848.tif 000005
【図４】
2018180848.tif 000006
【図５】
2018180848.tif 000007
【図６】
2018180848.tif 000008